(57)【要約】【課題】内部に蓄電池を収納される収納ラックを、段積みし、段積みした上下において互いに連結して使用される蓄電池用の収納ラックを設置する作業の作業性を向上させること。【解決手段】箱型収納ラックの奥側の下面にのみ凸部を設け、これに対応する上面にのみ下面に設けた凸部を収納し得る凹部を設け、更に、凸部の形状を先端ほど細くした先細り形状とした。この様にすることで、収納ラックを段積みする際に、奥側において、上方にある収納ラックの下面の凸部を下方にある収納ラックの上面の凹部に収納することで、収納ラックの手前の僅かな微調整で上下収納ラックのボルト挿通孔を位置合わせが出来、奥側のボルト挿通孔の位置あわせ作業が簡単になり、結果収納ラックの設置作業の作業性が向上させることが出来る。【選択図】図１
2019087360.tif 000002
【特許請求の範囲】
【請求項１】
蓄電池が収納され、段積みし、段積みした上下において互いに連結して使用される蓄電池用の収納ラックにおいて、収納ラックの奥側の下面にのみ凸部を、これに対応する上面にのみ下面の凸部を収納し得る凹部をそれぞれ設け、更に、凸部形状を先細り形状にしたことを特徴とする蓄電池用の収納ラック。
【請求項２】
前記凸部の形状はお椀形で高さを３乃至５ｍｍとし、前記凹部の形状は開口部形状を四角形とした四角錐又は四角錐台としたことを特徴とする請求項１に記載の蓄電池用の収納ラック。
【発明の詳細な説明】
【技術分野】
【０００１】
本発明は、蓄電池が収納され、段積みし、段積みした上下において互いに連結して使用される蓄電池用の収納ラックに関するものであり、特に限られたスペースでの設置作業性の向上に関する。
【背景技術】
【０００２】
多数の蓄電池を直並列接続してなる蓄電池システムは、商用電源の非常用電源や、太陽光発電や風力発電などの平滑化用電源などとして用いられている。この場合、蓄電池例えば鉛蓄電池を多数用いて蓄電池システムを構築する為に、内部に蓄電池を収納した収納ラックを複数列に並べ、各列において段積みして用いられている。収納ラック１は、例えば図３に示されるように、一方が開口する箱型１１の開口する手前側の上下と奥側の上下の外面にそれぞれ1枚ずつ計4本のフレーム１２を形成し、各フレーム１２の両端にボルト挿通孔１３を設けてなる。この収納ラック１を段積みする際は、フレーム１２の両端のボルト挿通孔１３にボルトを挿通しナットを螺合して上下の収納ラックを連結し固定しているものである（特許文献１）が、段積みする場合は、段積みすべき収納ラックを持上げ、下方にある収納ラックの上部フレームと段積みされた上方にある収納ラックの下部フレームを互いに重ね合わせ、更に、目視で上下のボルト挿通孔の位置が一致するように調整し、しかる後に一致したボルト挿通孔にボルトを挿入し、ナットを螺合して締結固定しているものである。
【０００３】
このような収納ラックを段積みする場合は、収納ラックのみを段済みした後に収納ラック内に蓄電池を収納したり、蓄電池を収納した収納ラックを段積みしたりしているが、収納ラックの両側面若しくは後部の周囲に十分な作業スペースが確保出来ない場合、収納ラックの奥側のボルト挿通孔の目視が困難であり、ボルト挿通孔の位置合わせは、上にある収納ラックのボルト挿通孔にボルトを挿入して下にある収納ラックのボルト挿通孔に挿入されるのを確認することで行われ、下にある収納ラックのボルト挿通孔に挿入されない場合は、上の収納ラックをその前面において前後左右に動かしたり、側面に腕を伸ばして奥側を動かして、再度ボルトが挿通するか確認する作業を挿通するまで繰り返し行わなければならないが、収納ラックは大きく重量があるので、煩わしく、作業性の低いものであった。
【先行技術文献】
【特許文献】
【０００４】
【特許文献１】特開２０１４−１３７５３号公報
【発明の概要】
【発明が解決しようとする課題】
【０００５】
本発明は、収納ラックの周囲に作業スペースが確保できない場合でも煩わしさがなく、簡単にボルト挿通孔の位置合わせを行うことができ、簡単にボルトナットによる螺合締結を行うことができる収納ラックを提供しようとするものである。
【課題を解決するための手段】
【０００６】
本発明は、これらの課題を解決したもので、収納ラックの奥側の下面にのみ凸部を上側にのみ下面の凸部を収納し得る凹部を設け、更に、凸部形状を先細り形状にしたものである。
【０００７】
この様に、奥側にのみ下面に凸部を上面に凹部を設け、更に、凸部形状を先細り形状にしているので、段積みする際に、段積みする上の収納ラックの手前を持上げ、奥側の下面の凸部を下の収納ラック上面を滑らせて凹部へ収納することで作業が終わるので、収納ラックの上下四隅に凸凹部を設けてこれら全てを嵌合する場合に比し収納作業が容易であると共に、凸部形状を先細りとしているので、凹部への挿入がし易い。そして、凸部が凹部内に収納された際、収納ラックが落下するので、作業者が定位置に収まったことを感覚的に判断でき、作業が容易となり、作業性を向上し得る。
【０００８】
凸凹部が手前にある場合は、奥側の調整が難しいので、奥側にのみあった方が良い。
【０００９】
更に、凸部を先端が丸く先細りするお椀形とし、凹部は開口形状を四角形とした四角錐又は四角錐台とすることで、凹部への凸部の収納を容易にし得、更に作業性を向上し得る。
【発明の効果】
【００１０】
本発明によれば、収納ラックの奥側にのみに凸部凹部を設け、更に、凸部形状を先細り形状としたので、段積みの際に凸部を凹部に収納する作業が容易となり、更に収納ラックのボルト挿通孔の位置合わせが感覚的に確認できるために作業が容易となり、煩わしさがなくなり、作業性を向上させることができるものである。
【００１１】
凸部を先端が丸く先細りするお椀形とし、凹部の開口形状を四角形とした四角錐又は四角錐台としたので、更に作業性を向上させることができるものである。
【図面の簡単な説明】
【００１２】
【図１】収納ラックの実施形態の図で、（a）は上面斜視図、（b）は下面斜視図である。
【図２】凹部内に凸部が収納された状態を表す断面部分図
【図３】従来の収納ラックの上面斜視図である。
【発明を実施するための形態】
【００１３】
図に基づき、本発明の実施形態を説明する。
【００１４】
図１は、本発明の実施形態を示す収納ラックの図で、（a）は上面斜視図、（ｂ）は下面斜視図である。収納ラック１は、開口を有する箱型１１に開口する手前側の上下と奥側の上下の外面にそれぞれ1枚ずつ計4本の平板状のフレーム１２を溶接して設けられ、各フレーム１２の両端にはそれぞれボルト挿通孔１３が穿孔されている。ここまでは従来と同じであるが、本発明では、下面斜視図に示される様に、奥側の下のフレーム１２両端のボルト挿通孔１３よりは内側の外面に凸部２を溶接して設け、上面斜視図に示される様に、奥側の上のフレーム１２両端のボルト挿通孔１３よりは内側の外面に凹部３を切削加工により設けている。凸部２の形状はお椀形の先細り形状とした。一方凹部３は、凸部２が収納し得る大きさとし、その開口形状を四角形である長方形とし、内部を四角錘台形とした。凹部内に凸部が収納された際は、図２に示す様に凸部の対応する側面一部が凹部の対応する内側面の一部と接触するものとした。
【００１５】
この様に構成された収納ラック１を段積みする場合は、下部に置いた収納ラック１の上方に収納ラック１を搬入し、目視により、下方の収納ラック１の上面の奥側のフレーム１２に搬入した上方の収納ラック１の下面の奥側のフレーム１２を凡そ重ね合わせる。これは収納ラックの突出するフレーム１２により形成される隙間を介し箱型１１の手前から目視することが出来る。その後、上方の収納ラックの手前を持ち、奥側のフレーム１２同士を左右前後に滑らす様に移動させる。そして凸部２が凹部３に収納されれば、上方の収納ラック１が落下し、作業者に収納されたことを体感させる事が出来る。また、凸部２が先端の径が小さいお椀形であるので、四角い凹部とは緩みがあり凸部２の凹部３内への収納開始時がスムーズに行われることも作業性を向上させる。
【００１６】
その後、手前側において、下方の収納ラック１と上方の収納ラック１を重ね合わせてその前面とフレーム１２の左右を一致させることで容易に調整を行える。この状態で、下方および上方の収納ラック１の外側側面の隙間に手を伸ばし、ボルトを上方の収納ラックの奥側のボルト挿通孔１３に挿入し、下方の収納ラックの奥側のボルト挿通孔１３の下方にナットを当てナットにボルトを螺合して締結する。この操作を奥側の左右の２箇所で行い、更に、手前側の2箇所のボルト挿通孔にも行い、上下の収納ラックを固定するものである。なお、奥側のボルト挿通孔１３へのボルト挿通が上手く行かなかった場合は、上方の収納ラックの手前に引いた後これを奥側に押し返し、手前の前面を上下で一致させるなどの微調整を行うことで簡単にボルトの挿通をなし得ることができる。
【００１７】
この様に、収納ラックを本発明は、収納ラックの奥側の上面に凹部、下面に凸部を設けたので、段積みして互いにボルトナットで固定する際に、収納ラックの上下のボルト挿通孔を容易に位置あわせが出来、固定作業を簡単にでき、設置作業性を向上させることが出来る。更に、収納ラックの側面に腕の入るスペースが無いような場合でも、工具を用いて締結することが出来る。
【００１８】
凸部の高さについて検討した結果、１と２ｍｍでは、凸部が凹部内に収納された時の体感が少し低くかったが、３〜５ｍｍの場合は体感が十分に感じられ、好ましいことが分かった。６ｍｍを超えた場合は、体感は十分に感じられるも、段積みする際に上下の収納ラックのフレームの重ね合わせが上手く行かず、凸部が下部のフレームの手前に重なった場合、上方の収納ラックを移動する際に凸部がフレームに当たった際にこれを解消することが少し大変であった。従って、凸部の高さは３〜５ｍｍが好ましいことが判った。
【００１９】
なお、上記実施形態では、凸凹部をフレームの両端に１個ずつ設けた場合を示したが、必ずしも両端に設ける必要はなく、例えばフレームの中央に設けても良く、その数は１個でも良く、さらには、その形状も、フレームの長さ方向に沿った横長の凹部と横長の先細りした凸部でも良い。そして、フレームの中央に凸凹部を１個だけ設けた場合が、手前において、上下の前面を一致させることで定位置にし得、ボルト挿通孔を合わせることができる。
【００２０】
更に、収納ラックについて、上記実施形態では、箱型にフレームを設けた例を示したが、箱型の上面及び下面の手前と奥側の一部を側面側に突出させて突起部を形成したり、箱形の上下面に設けるフレームを箱形の上下面の前面を覆う平板状とし、これに突起部を形成し、これら突起部にボルト挿通孔を設け、更にその内側に凸部凹部を形成したりするなどしても良いことは勿論である。この様にすることで、箱型の上面がフレームによる段差が無く平坦になり、凸部を凹部に収納する際の作業がより簡単になる。
【００２１】
近年、少ない設置面積に蓄電システムを構築する案件が増えており、両側面若しくは後部の周囲に十分な作業スペースが確保出来ない場合や多数配置される収納ラックの左右の収納ラック間距離を十分に確保できない場合がある。その際にも、工事作業を遅れなく円滑に進めるために、本発明の収納ラックの活用が有効であることがわかった。
【符号の説明】
【００２２】
１    収納ラック
１１  箱型
１２  フレーム
１３  ボルト挿通孔
２    凸部
３    凹部
【図１】
2019087360.tif 000003
【図２】
2019087360.tif 000004
【図３】
2019087360.tif 000005